(57)【要約】【課題】多種のパラメータの計測値を適切に表示し、一つのパラメータによっては偏りが多い計測を補完し、的確な診察を可能とする。【解決手段】複数の生体信号を取得するための取得手段から得られた生体信号に基づきパラメータの計測値を算出する演算手段と、情報を表示するための表示部１００と、動脈の硬化に関する硬化パラメータと動脈の狭窄／閉塞に関する狭窄／閉塞パラメータの異なるレーダチャートを作成すると共に、前記パラメータの計測値をレーダチャート上に、中心から放射状に延びる異なるそれぞれの線分上に臨床上の値が悪くなるに連れて中心から遠方の位置にプロットして前記表示部に表示する表示制御手段とを具備する。【選択図】図１
2015077165.tif 000002
【特許請求の範囲】
【請求項１】
複数の生体信号を取得するための取得手段から得られた生体信号に基づきパラメータの計測値を算出する演算手段と、
情報を表示するための表示部と、
動脈の硬化に関する硬化パラメータと動脈の狭窄／閉塞に関する狭窄／閉塞パラメータの異なるレーダチャートを作成すると共に、前記パラメータの計測値をレーダチャート上に、中心から放射状に延びる異なるそれぞれの線分上に臨床上の値が悪くなるに連れて中心から遠方の位置にプロットして前記表示部に表示する表示制御手段と
を具備する生体情報表示装置。
【請求項２】
表示制御部は、異なるレーダチャートを同一画面または異なる画面に表示する請求項１に記載の生体情報表示装置。
【請求項３】
表示制御手段は、各パラメータにおける正常範囲が対応するそれぞれの線分上において、等距離となるようにスケール調整して表示する請求項１または２に記載の生体情報表示装置。
【請求項４】
表示制御手段は、各パラメータにおいて、少なくとも正常範囲と異常範囲とに範囲分けし、範囲毎に色またはテクスチャを変えて表示する請求項３に記載の生体情報表示装置。
【請求項５】
パラメータを指示入力する入力手段を備え、
表示制御手段は、前記入力手段により指示入力されたパラメータについてのみレーダチャートに表示する請求項１乃至４のいずれか１項に記載の生体情報表示装置。
【請求項６】
表示制御手段は、レーダチャートに重ねて生体図を表示し、パラメータの測定部位に対応する前記表示した生体図の位置に当該パラメータの線分を表示する請求項１乃至５のいずれか１項に記載の生体情報表示装置。
【請求項７】
表示制御手段は、レーダチャートにおける線分上のプロット点を結ぶ線分を表示する請求項１乃至６のいずれか１項に記載の生体情報表示装置。
【請求項８】
生体情報表示装置に備えられるコンピュータを、
生体に関する動脈の硬化に関する硬化パラメータと動脈の狭窄／閉塞に関する狭窄／閉塞パラメータの異なるレーダチャートを作成する作成手段、
前記パラメータの計測値を前記レーダチャート上に、中心から放射状に延びる異なるそれぞれの線分上に臨床上の値が悪くなるに連れて中心から遠方の位置にプロットして情報を表示するための表示部に表示する表示制御手段
として機能させる生体情報表示用プログラム。
【請求項９】
複数のパラメータの計測値は、複数の生体信号を取得するための取得手段から得られた生体信号に基づき、算出して得たものである請求項８に記載の生体情報表示用プログラム。
【請求項１０】
表示制御手段は、
異なるレーダチャートを同一画面または異なる画面に表示する請求項８または９に記載の生体情報表示用プログラム。
【請求項１１】
表示制御手段は、
各パラメータにおける正常範囲が対応するそれぞれの線分上において、等距離となるようにスケール調整して表示する請求項８乃至１０のいずれか１項に記載の生体情報表示用プログラム。
【請求項１２】
表示制御手段は、
各パラメータに対して、少なくとも正常範囲と異常範囲とに範囲分けし、範囲毎に色またはテクスチャを変えて表示する請求項１１に記載の生体情報表示用プログラム。
【請求項１３】
表示制御手段は、
生体情報表示装置に備えられたパラメータを指示入力する入力手段により指示入力されたパラメータについてのみレーダチャートに表示する請求項８乃至１２のいずれか１項に記載の生体情報表示用プログラム。
【請求項１４】
表示制御手段は、
レーダチャートに重ねて生体図を表示し、パラメータの測定部位に対応する前記表示した生体図の位置に当該パラメータの線分を表示する請求項８乃至１３のいずれか１項に記載の生体情報表示用プログラム。
【請求項１５】
表示制御手段は、
レーダチャートにおける線分上のプロット点を結ぶ線分を表示する請求項８乃至１４のいずれか１項に記載の生体情報表示用プログラム。
【発明の詳細な説明】
【技術分野】
【０００１】
本発明は、動脈の状態及び／または心機能に関する複数のパラメータの計測値を適切に表示する生体情報表示装置及び生体情報表示用プログラムに関する。
【背景技術】
【０００２】
従来、動脈の状態として、動脈の伸展性及び血流障害の程度を示す計測値のパラメータとして、ＡＢＩ、％ＭＡＰ、ＵＴ、平均血圧、脈圧、Stiffness Parameter β、ＡＰＩ、ＡＶＩ、ＡＩ、ＴＢＩ、ＰＷＶなどがあり、血管疾患の診断に用いられている。また、心機能の程度を示す計測値のパラメータとしては、ＥＦ、ＳＶ、ＣＯ、％ＦＳ、ｍＶｅｆ、ＴＭＦ、Ｖｐ、Ｅａ、Tei indexなどが用いられている。
【０００３】
上記パラメータの計測値は、一つの計測値のみを表示することが行われている。また、上記パラメータの計測値は個別に診断に用いられている。このような取り扱いでは、動脈の伸展性／血流障害、心機能の異常においては、生体における発症箇所やその程度により計測値に偏りが発生することが多く、適切に診断を行うことができない。
【０００４】
原点から右上、左上、右下、左下に延びる線分上に四肢で測定した血圧をプロットし、生体部位と測定値とを直観的に捕らえられることができるようにした生体情報レポートが知られている（特許文献１参照）。
【先行技術文献】
【特許文献】
【０００５】
【特許文献１】特開２００６−３２０７０１号公報
【発明の概要】
【発明が解決しようとする課題】
【０００６】
上記生体情報レポートはＰＷＶなどの測定値についても合わせて表示しても良いとされている。しかし、基本的には血圧が測定されるだけであり、多種のパラメータを同時に比較できるものとはなっていない。
【０００７】
本発明は上記のような従来の生体情報表示装置の現状に鑑みてなされたもので、その目的は、多種のパラメータの計測値を適切に表示し、一つのパラメータによっては偏りが多い計測を補完し、的確な診察を可能とする生体情報表示装置及びプログラムを提供することである。
【課題を解決するための手段】
【０００８】
本発明に係る生体情報表示装置は、複数の生体信号を取得するための取得手段から得られた生体信号に基づきパラメータの計測値を算出する演算手段と、情報を表示するための表示部と、動脈の硬化に関する硬化パラメータと動脈の狭窄／閉塞に関する狭窄／閉塞パラメータの異なるレーダチャートを作成すると共に、前記パラメータの計測値をレーダチャート上に、中心から放射状に延びる異なるそれぞれの線分上に臨床上の値が悪くなるに連れて中心から遠方の位置にプロットして前記表示部に表示する表示制御手段とを具備する。
【０００９】
本発明に係る生体情報表示装置では、表示制御部は、異なるレーダチャートを同一画面または異なる画面に表示する。
【００１０】
本発明に係る生体情報表示装置では、表示制御手段は、各パラメータにおける正常範囲が対応するそれぞれの線分上において、等距離となるようにスケール調整して表示する。
【００１１】
本発明に係る生体情報表示装置では、表示制御手段は、各パラメータにおいて、少なくとも正常範囲と異常範囲とに範囲分けし、範囲毎に色またはテクスチャを変えて表示する。
【００１２】
本発明に係る生体情報表示装置では、パラメータを指示入力する入力手段を備え、表示制御手段は、前記入力手段により指示入力されたパラメータについてのみレーダチャートに表示する。
【００１３】
本発明に係る生体情報表示装置では、表示制御手段は、レーダチャートに重ねて生体図を表示し、パラメータの測定部位に対応する前記表示した生体図の位置に当該パラメータの線分を表示する。
【００１４】
本発明に係る生体情報表示装置では、表示制御手段は、レーダチャートにおける線分上のプロット点を結ぶ線分を表示する。
【００１５】
本発明に係る生体情報表示用プログラムは、生体情報表示装置に備えられるコンピュータを、生体に関する動脈の硬化に関する硬化パラメータと動脈の狭窄／閉塞に関する狭窄／閉塞パラメータの異なるレーダチャートを作成する作成手段、前記パラメータの計測値を前記レーダチャート上に、中心から放射状に延びる異なるそれぞれの線分上に臨床上の値が悪くなるに連れて中心から遠方の位置にプロットして情報を表示するための表示部に表示する表示制御手段として機能させることを特徴とする。
【００１６】
本発明に係る生体情報表示用プログラムでは、複数のパラメータの計測値は、複数の生体信号を取得するための取得手段から得られた生体信号に基づき、算出して得たものである。
【００１７】
本発明に係る生体情報表示用プログラムでは、表示制御手段は、異なるレーダチャートを同一画面または異なる画面に表示する。
【００１８】
本発明に係る生体情報表示用プログラムでは、表示制御手段は、各パラメータにおける正常範囲が対応するそれぞれの線分上において、等距離となるようにスケール調整して表示する。
【００１９】
本発明に係る生体情報表示用プログラムでは、表示制御手段は、各パラメータに対して、少なくとも正常範囲と異常範囲とに範囲分けし、範囲毎に色またはテクスチャを変えて表示する。
【００２０】
本発明に係る生体情報表示用プログラムでは、表示制御手段は、生体情報表示装置に備えられたパラメータを指示入力する入力手段により指示入力されたパラメータについてのみレーダチャートに表示する。
【００２１】
本発明に係る生体情報表示用プログラムでは、表示制御手段は、レーダチャートに重ねて生体図を表示し、パラメータの測定部位に対応する前記表示した生体図の位置に当該パラメータの線分を表示する。
【００２２】
本発明に係る生体情報表示用プログラムでは、表示制御手段は、レーダチャートにおける線分上のプロット点を結ぶ線分を表示する。
【発明の効果】
【００２３】
本発明によれば、パラメータの計測値を、中心から放射状に延びる異なるそれぞれの線分上において、臨床上の値が悪くなるに連れて中心から遠方の位置にプロットしたレーダチャートとして表示部に表示するので、一つのパラメータによっては偏りが多い計測を補完し、的確な診察が可能となる。また、本発明によれば、レーダチャートに重ねて生体図を表示し、パラメータの測定部位に対応する前記表示した生体図の位置に当該パラメータの線分を表示するので、複数のパラメータの計測値が測定部位に対応するように表示されており、動脈状態・心機能について直観的に生体位置との関係において診断が可能になる。
【図面の簡単な説明】
【００２４】
【図１】本発明に係る生体情報表示装置における一実施形態の構成図。
【図２】本発明に係る生体情報表示装置における一実施形態の動作を示すフローチャート。
【図３】本発明に係る生体情報表示装置における一実施形態の記憶部に記憶された位置情報とパラメータ分類データベースの一例を示す図。
【図４】本発明に係る生体情報表示装置における一実施形態により作成された完成前の硬化系レーダチャートの一例を示す図。
【図５】本発明に係る生体情報表示装置における一実施形態により作成された完成前の狭窄／閉塞系レーダチャートの一例を示す図。
【図６】本発明に係る生体情報表示装置における一実施形態により作成された完成前の硬化系レーダチャートの図４とは異なる一例を示す図。
【図７】本発明に係る生体情報表示装置における一実施形態により作成され表示された、一画面に２種のレーダチャートを含む表示例を示す図であり、健常者について計測した例を示す図。
【図８】本発明に係る生体情報表示装置における一実施形態により作成され表示された、一画面に２種のレーダチャートを含む表示例を示す図であり、動脈硬化の兆候が認められる被験者について計測した例を示す図。
【図９】本発明に係る生体情報表示装置における一実施形態により作成され表示された、一画面に２種のレーダチャートを含む表示例を示す図であり、末梢動脈に狭窄疾患のある被験者について計測した例を示す図。
【発明を実施するための形態】
【００２５】
以下添付図面を参照して本発明に係る生体情報表示装置及び生体情報表示用プログラムの実施形態を説明する。各図において同一の構成要素には、同一の符号を付して重複する説明を省略する。図１に、本発明に係る生体情報表示装置における一実施形態の構成図を示す。この装置においては、動脈の状態及び／または心機能に関するパラメータの計測値を得るためのセンサ、つまり生体信号の取得を行う取得手段としてのセンサを具備する。センサとして、右上腕カフ１１、左上腕カフ２１、右下肢カフ３１、左下肢カフ４１、右手心電図電極５１、左手心電図電極５２、アース用心電図電極５３、心音マイクロフォン６１が設けられている。センサは一例であり、これより多くても良く、また、これより少なくても良い。更に本実施形態とは異なる生体信号を取得できるセンサを設けても良い。図１には、生体信号の取得を行う取得手段としてデータ入力部６７が備えられ、このデータ入力部６７から心エコーの情報が入力され、該心エコーの情報は各波形・血圧記憶部７０に記憶される。心エコーの情報を取得する取得手段としては、探触子であってもよい。
【００２６】
右上腕カフ１１には圧力検出部１２が接続され、右上腕カフ１１の圧力は圧力検出部１２を介して圧力制御部１５により制御される。左上腕カフ２１には圧力検出部２２が接続され、左上腕カフ２１の圧力は圧力検出部２２を介して圧力制御部２５により制御される。右下肢カフ３１には圧力検出部３２が接続され、右下肢カフ３１の圧力は圧力検出部３２を介して圧力制御部３５により制御される。左下肢カフ４１には圧力検出部４２が接続され、左下肢カフ４１の圧力は圧力検出部４２を介して圧力制御部４５により制御される。圧力制御部１５、２５、３５、４５は、後述するコンピュータによる制御下においてカフの圧力制御を行うようにしても良い。
【００２７】
圧力検出部１２には脈波検出部１３が接続され、圧力検出部２２には脈波検出部２３が接続され、圧力検出部３２には脈波検出部３３が接続され、圧力検出部４２には脈波検出部４３が接続されている。
【００２８】
脈波検出部１３には、脈波データを得るための脈波演算部１４と血圧データを得るための血圧演算部１６が接続され、脈波検出部２３には、脈波データを得るための脈波演算部２４と血圧データを得るための血圧演算部２６が接続され、脈波検出部３３には、脈波データを得るための脈波演算部３４と血圧データを得るための血圧演算部３６が接続され、脈波検出部４３には、脈波データを得るための脈波演算部４４と血圧データを得るための血圧演算部４６が接続されている。
【００２９】
右手心電図電極５１、左手心電図電極５２、アース用心電図電極５３は心電位検出部５４に接続され、心電位検出部５４には得られた心電位信号に基づき心電図データを得るための心電図演算部５５が接続されている。心音マイクロフォン６１には心音検出部６２が接続され、心音検出部６２には心音信号に基づき心音図データを得るための心音図演算部６３が接続されている。
【００３０】
脈波演算部１４、２４、３４、４４により得られた脈波データ、血圧演算部１６、２６３６、４６により得られた血圧データ、心電図演算部５５により得られた心電図データ、心音図演算部６３により得られた心音図データは、各波形・血圧記憶部７０に記憶される。この各波形・血圧記憶部７０には、各種パラメータ演算部８０が接続されており、演算手段である各種パラメータ演算部８０によって動脈の状態及び／または心機能に関する複数のパラメータについて計測値の演算が行われる。各種パラメータ演算部８０は、既に示したパラメータの全てを演算して得ることができる。なお、各パラメータの計測値を求める手法は公知の手法を用いることができる。本実施形態においては、各種パラメータ演算部８０が後述するレーダチャートなどに示されるパラメータを演算して得るものとして説明を行う。
【００３１】
各種パラメータ演算部８０による演算結果は、全計測結果処理部９０へ送られる。全計測結果処理部９０は、各種パラメータ演算部８０による演算結果を受け取る他に、各波形・血圧記憶部７０からもデータを取り出すことができる。全計測結果処理部９０は、各種パラメータ演算部８０による演算結果や各波形・血圧記憶部７０から取り出したデータを必要に応じて記憶部１１０へ記憶する。
【００３２】
記憶部１１０には、この装置に使用されるパラメータが、動脈の硬化に関する硬化パラメータと、動脈の狭窄／閉塞に関する狭窄／閉塞パラメータに分けたパラメータ分類データベースが記憶されている。また、正常範囲と異常範囲の情報、各パラメータにおける正常範囲が対応するそれぞれの線分上において、等距離となるようにスケール調整するスケール情報なども記憶部１１０に記憶されている。
【００３３】
また、全計測結果処理部９０には、表示部１００と入力部１２０が接続されている。表示部１００としては、画面に情報を表示するディスプレイの他、プリンタ等であっても良い。入力部１２０は、情報やコマンドを入力するキーボード（タッチパネルによるものを含む）の他、マウスなどのポインティングデバイスが備えられていても良い。全計測結果処理部９０は、演算手段である各種パラメータ演算部８０により算出された複数のパラメータの計測値を、中心から放射状に延びる異なるそれぞれの線分上において、臨床上の値が悪くなるに連れて中心から遠方の位置にプロットしたレーダチャートとして表示部１００に表示する表示制御手段として機能する。例えば、ＡＢＩ値については、正常値は１．０〜１．４、異常値は０．９以下、境界値は０．９１〜０．９９となる。よってＡＢＩ値は値が小さくなると、臨床上の値が悪くなることを示している。例えば、％ＭＡＰ値については、正常値は４５％未満、異常値は４５％以上となる。よって、％ＭＡＰ値は値が大きくなると、臨床上の値が悪くなることを示している。
【００３４】
上記入力部１２０は、パラメータを指示入力する入力手段として機能するものである。
全計測結果処理部９０は表示制御手段として、入力手段である入力部１２０により指示入力されたパラメータについてのみレーダチャートに表示するように動作することができる。
【００３５】
上記における脈波演算部１４、２４、３４、４４、血圧演算部１６、２６、３６、４６、心電図演算部５５、心音図演算部６３、各波形・血圧記憶部７０、各種パラメータ演算部８０、全計測結果処理部９０、表示部１００、記憶部１１０及び入力部１２０の部分は、コンピュータとして構成することができる。
【００３６】
上記の生体情報表示装置は、図２に示されるようなフローチャートに対応するプログラムにより動作することができる。計測に先立って、被験者の予め決められた四肢などの所定部位に、右上腕カフ１１、左上腕カフ２１、右下肢カフ３１、左下肢カフ４１、右手心電図電極５１、左手心電図電極５２、アース用心電図電極５３、心音マイクロフォン６１を取り付ける。装置のオンオフスイッチなどを操作すると、動作が開始される。
【００３７】
本発明では、動脈の硬化に関する硬化パラメータのレーダチャートと、動脈の狭窄／閉塞に関する狭窄／閉塞パラメータのレーダチャートに表示する。実施形態では、複数のパラメータを記憶部１１０のパラメータ分類データベースのデータに基づき、動脈の硬化に関する硬化パラメータと、動脈の狭窄／閉塞に関する狭窄／閉塞パラメータに分けて、異なるレーダチャートに表示する。これにより、硬化パラメータによる硬化系レーダチャートが表示され、動脈の伸展性に関する計測結果を集約させて観測することができ、動脈の硬化状態を容易に把握可能となる。また、狭窄／閉塞パラメータによる狭窄／閉塞系レーダチャートが表示され、狭窄や閉塞に伴う血流障害に関する計測結果を集約させて観測することができ、血流障害の状態把握を容易に行うことが可能となる。
【００３８】
そこで全計測結果処理部９０（表示制御手段）は、硬化パラメータと狭窄／閉塞パラメータに分けたそれぞれにおいて、予め定めた或いは現時点で入力部１２０から指示入力されたパラメータの数ｎ（整数）に基づき、正ｎ角形のレーダチャートを決定する（Ｓ１１）。次に、この正ｎ角形の中心から各頂角へ到る線分上に対応するパラメータの計測値をプロットするとして、各パラメータにおける正常範囲が対応するそれぞれの線分上において、等距離となるようにスケール調整する（Ｓ１２）。
【００３９】
次に、各パラメータにおいて、少なくとも正常範囲と異常範囲とに範囲分けし、範囲毎に色及び／またはテクスチャを変えて表示するように画像を作成する（Ｓ１３）。更に、各パラメータの計測値を、中心から放射状に延びる異なるそれぞれの線分上において、臨床上の値が悪くなるに連れて中心から遠方の位置にプロットし、レーダチャートにおける線分上のプロット点を結ぶ線分を表示する画像を作成する（Ｓ１４）。更に、レーダチャートに重ねて生体図(実施例では、人体図)を表示し、パラメータの測定部位に対応する前記表示した人体図の位置に当該パラメータの線分を表示する画像を作成する（Ｓ１５）。
【００４０】
本実施形態では、前述の通り、動脈の硬化に関する硬化パラメータと、動脈の狭窄／閉塞に関する狭窄／閉塞パラメータに分けて、異なるレーダチャートに表示する。この異なるレーダチャートを同一画面または異なる２画面に切換表示することを選択できる。この選択は、入力部１２０から行うことができ、異なる２画面に表示することを選択した場合には、硬化レーダチャートと狭窄／閉塞系レーダチャートのいずれを表示させるかを入力部１２０から選択入力することができ、二つのレーダチャートを切り換え表示して目視することが可能である。即ち、ステップＳ１５までに作成した画像を、一つの画面に表示するか、異なる２画面に分けて表示する（Ｓ１６）。
【００４１】
なお、ステップＳ１２からステップＳ１５までの処理順は、上記の順に限定されるものではない。
【００４２】
上記の処理においてパラメータとして、例えば、ＳＢＰ｜Ｒ−Ｌ｜、ＭＢＰ（ＲＢ、ＬＢ、ＲＡ、ＬＡ）、ＵＴ（ＲＡ、ＬＡ）、ＡＶＩ（ＲＢ、ＬＢ、ＲＡ、ＬＡ）、ＰＰ（ＲＢ、ＬＢ、ＲＡ、ＬＡ）、％ＭＡＰ（ＲＢ、ＬＢ、ＲＡ、ＬＡ）、ＡＢＩ（Ｒ、Ｌ）が設定する。記憶部１１０のパラメータ分類データベースには、図３に示すようなデータが記憶されている。この図３において、コロンの右側に示した内容は記憶されていなくとも良い。但し、Ｒ、Ｌ、ＲＢ、ＬＢ、ＲＡ、ＬＡについて、コロンの右側に示した内容は、レーダチャートにおいて、人体図のいずれの位置に対応させてパラメータの線分を表示するのかに関する位置情報とすることができる。
【００４３】
上記設定されたパラメータにおいて、図３のパラメータ分類データベースによれば、ＭＢＰ、ＰＰ、ＡＶＩが硬化パラメータであり、ＳＢＰ｜Ｒ−Ｌ｜、％ＭＡＰ、ＵＴ、ＡＢＩが狭窄／閉塞パラメータであると判定できる。そこで、（ＭＢＰ、ＰＰ、ＡＶＩ）と（ＳＢＰ｜Ｒ−Ｌ｜、％ＭＡＰ、ＵＴ、ＡＢＩ）に分ける。（ＭＢＰ、ＰＰ、ＡＶＩ）については、表示の位置情報から全体のパラメータ数は１２であり、正１２角形に表示と決定される。また、（ＳＢＰ｜Ｒ−Ｌ｜、％ＭＡＰ、ＵＴ、ＡＢＩ）については、表示の位置情報から全体のパラメータ数は９であり、正９角形に表示と決定される。以上がステップＳ１１において行われる。
【００４４】
次に、角形の中心から各頂角へ到る線分上に対応するパラメータの計測値をプロットするとして、各パラメータにおける正常範囲が対応するそれぞれの線分上において、等距離となるようにスケール調整する（Ｓ１２）。更に、少なくとも正常範囲と異常範囲とに範囲分けし、範囲毎に色及び／またはテクスチャを変えて表示するように画像を作成し（Ｓ１３）、各パラメータの計測値をプロットし、プロット点を結ぶ線分を表示する画像を作成する（Ｓ１４）。これによって、硬化系レーダチャートの画像が図４に示すように作成され、狭窄／閉塞系レーダチャートの画像が図５に示すように作成される。正ｎ角形の頂角の近傍には、位置情報とパラメータ名が図４、図５の如く付記表示される。
【００４５】
図６は、パラメータとして硬化パラメータであるStiffnessβ、ＡＰＩ（ＲＢ、ＬＢ、ＲＡ、ＬＡ）が設定された場合の硬化系レーダチャートを示す図である。この例では、パラメータと位置情報とから全体のパラメータ数は５であり、正５角形に表示と決定される。なお、硬化パラメータであるStiffnessβの計測を行うためには、図１の実施例の構成に加えて、頸動脈の血管径を計測する超音波エコーセンサ、超音波送受信部、超音波制御処理部などが具備される。
【００４６】
図４〜図６は、ステップＳ１１からステップＳ１４までの処理による画像である。これに対し、図７〜図９にステップＳ１１からステップＳ１６までの処理による画像を一画面に表示した例を示す。これら図７〜図９の例においては、硬化パラメータとして、ＭＢＰ（ＲＢ、ＬＢ、ＲＡ、ＬＡ）、ＰＰ（ＲＢ、ＬＢ、ＲＡ、ＬＡ）が設定され、狭窄／閉塞パラメータとして、ＳＢＰ｜Ｒ−Ｌ｜、％ＭＡＰ（ＲＢ、ＬＢ、ＲＡ、ＬＡ）、ＵＴ（ＲＡ、ＬＡ）、ＡＢＩ（Ｒ、Ｌ）が設定されたものである。この例では、硬化パラメータについてはパラメータと位置情報とから、全体のパラメータ数が８であり、正８角形に表示と決定される。また、狭窄／閉塞パラメータについてはパラメータと位置情報とから、全体のパラメータ数が９であり、正９角形に表示と決定される。
【００４７】
図７は、健常者のパラメータを表示したものである。図７（ａ）に示す硬化系レーダチャートと図７（ｂ）に示す狭窄／閉塞系レーダチャートにおいて、各プロット点を結ぶ線分が正常範囲にあることが一見して明白に分かる。
【００４８】
図８は、動脈硬化の兆候が認められる被験者のパラメータを表示したものである。図８（ａ）に示す硬化系レーダチャートにおいて各プロット点を結ぶ線分が正常範囲から著しく逸脱しており、硬化の問題があることが一見して明白に分かる。一方、図８（ｂ）に示す狭窄／閉塞系レーダチャートにおいて、各プロット点を結ぶ線分が正常範囲にあることが一見して明白に分かる。
【００４９】
図９は、末梢動脈に狭窄疾患のある被験者のパラメータを表示したものである。図９（ａ）に示す硬化系レーダチャートにおいて各プロット点を結ぶ線分が正常範囲にあることが一見して明白に分かる。一方、図９（ｂ）に示す狭窄／閉塞系レーダチャートにおいて、各プロット点を結ぶ線分が正常範囲から著しく逸脱しており、狭窄／閉塞の問題があることが一見して明白に分かる。
【００５０】
以上の通り、本実施形態では、硬化系レーダチャートと狭窄／閉塞系レーダチャートにおいてそれぞれ正常範囲にあるか否かが一見して明白に分かり、適切な診断に役立つことが期待できる。
【００５１】
なお、上記の実施形態では、生体情報表示装置がセンサを有し、このセンサにより得られた生体情報を用いてリアルタイムで処理を行ったが、これに限定されない。例えば、予め測定した生体情報用いて処理を行っても良い。また、他の装置などにより得られた生体情報を当該生体情報表示装置へ入力或いは転送などしてこの生体情報を処理するようにしても良い。
【００５２】
図７から図９の実施形態では、レーダチャートに人体図を重ねて表示したが、これに限定されない。人体図の代わりに、心臓図などの生体図を重ねて表示してもよい。
【００５３】
図７から図９の実施形態では、硬化系レーダチャートと狭窄／閉塞系レーダチャートを並べて表示しているが、更に心機能に関するレーダチャートに心臓図を重ねた図を追加してもよい。
【符号の説明】
【００５４】
１１、２１、３１、４１  カフ
１２、２２、３２、４２  圧力検出部
１３、２３、３３、４３  脈波検出部
１４、２４、３４、４４  脈波演算部
１５、２５、３５、４５  圧力制御部
５１、５２、５３  心電図電極
５４  心電位検出部
５５  心電図演算部
６１  心音マイクロフォン
６２  心音検出部
６３  心音図演算部
７０  各波形・血圧記憶部
８０  各種パラメータ演算部
９０  計測結果処理部
１００  表示部
１１０  記憶部
１２０  入力部
【図１】
2015077165.tif 000003
【図２】
2015077165.tif 000004
【図３】
2015077165.tif 000005
【図４】
2015077165.tif 000006
【図５】
2015077165.tif 000007
【図６】
2015077165.tif 000008
【図７】
2015077165.tif 000009
【図８】
2015077165.tif 000010
【図９】
2015077165.tif 000011